(57)【要約】【課題】プラグを接続する際に外部接続端子を保護しているカバーを自動開閉する。【解決手段】プラグ１の送信機２が受信機３の受信可能範囲内にある場合に、送信機２から信号を受信してコントローラ４へ送信する受信機３と、電流を流されると磁界を発生させる機能を有してコイル状に形成され、対向してそれぞれ外部接続端子開口部１０１端部付近に設けられている磁界発生機１０及び磁界発生機１１と、磁界の影響を受ける金属によって構成されてカバー７の磁界発生機１１側端部に固定され、磁界発生機１０や磁界発生機１１によって磁界が発生することにより、磁界発生機１０や磁界発生機１１から磁力を受ける金属部１２と、受信機３からの信号の有無に基づいて磁界発生機１０及び磁界発生機１１を含む開閉ユニット５をコントロールしてカバー７を開閉するコントローラ４とを備える。【選択図】図１
2008071246.tif 000002
【特許請求の範囲】
【請求項１】
プラグ接続用の外部接続端子を覆う開閉可能なカバーを備えた携帯端末に設けられ、前記カバーの開閉を制御するカバー開閉制御機構であって、
前記カバーの開閉を行う開閉ユニットと、
前記プラグに設けられた発信手段から発信された所定の信号を検知する検知手段と、
前記検知手段による前記信号の検知の有無に基づいて、前記開閉ユニットによる前記カバーの開閉を制御する制御手段とを搭載することを特徴とするカバー開閉制御機構。
【請求項２】
前記検知手段は、当該検知手段が受信する信号の受信可能範囲内に位置する前記送信手段からの信号を検知し、
前記受信可能範囲は、前記プラグが前記外部接続端子との接続関係において正規の姿勢で前記外部接続端子近傍に位置した場合に前記検知手段が前記送信手段から信号を受信できる範囲であることを特徴とする請求項１に記載のカバー開閉制御機構。
【請求項３】
前記検知手段が検知する前記発信手段からの信号は、前記プラグの種別を識別する識別情報を含み、
前記制御手段は、検知された前記識別情報に基づいて、前記プラグが前記外部接続端子に適合するか否かを判別し、当該判別結果に基づいて前記カバーの開閉を制御することを特徴とする請求項１又は請求項２に記載のカバー開閉制御機構。
【請求項４】
前記開閉ユニットは、磁力によって前記カバーに開く力を作用させる第１の磁界発生手段と、磁力によって前記カバーに閉じる力を作用させる第２の磁界発生手段を搭載し、
前記制御手段は、前記信号の検知の有無に基づいて、前記第１及び第２の磁界発生手段に流す電流を制御し、
前記カバーが、前記磁界発生手段が発する磁力によって開閉のための力を受ける金属部を備えることを特徴とする請求項１から請求項３のいずれか１項に記載のカバー開閉制御機構。
【請求項５】
前記制御手段は、検知された前記プラグの種別を識別する識別情報に基づいて、前記プラグが前記外部接続端子にとって使用可能か否かを判断し、当該判断結果に基づいて、前記第１及び第２の磁界発生手段に流す電流を制御することを特徴とする請求項４に記載のカバー開閉制御機構。
【請求項６】
前記制御手段は、前記信号を検知した場合に、前記第１の磁界発生手段に流す電流を制御し、前記カバーを開くための磁力を発生させることを特徴とする請求項４又は請求項５に記載のカバー開閉制御機構。
【請求項７】
前記制御手段は、前記プラグが前記外部接続端子に接続されたことを検知した際に、前記第１の磁界発生手段に流す電流を小さくすることを特徴とする請求項６に記載のカバー開閉制御機構。
【請求項８】
前記制御手段は、前記プラグが前記外部接続端子に接続されたことを検知した際に、前記第１の磁界発生手段に流す電流を、前記カバーが前記外部接続端子前から移動して開いた状態に保てるだけの量に減らすことを特徴とする請求項７に記載のカバー開閉制御機構。
【請求項９】
前記カバーが開いた状態を検知する認識手段を備え、
前記制御手段は、前記認識手段が前記カバーが開いた状態を検知した際に、前記第１の磁界発生手段に流す電流を小さくすることを特徴とする請求項７又は請求項８に記載のカバー開閉制御機構。
【請求項１０】
前記制御手段は、前記信号を検知しない場合、又は前記外部接続端子から前記プラグが抜かれたことを検知した場合に、前記第２の磁界発生手段に流す電流を制御し、前記カバーに閉じるための磁力を発生させることを特徴とする請求項４から請求項９のいずれか１項に記載のカバー開閉制御機構。
【請求項１１】
前記カバーが閉じた状態を検知するセンサを備え、
前記制御手段は、前記センサが前記カバーが閉じた状態を検知した際に、前記第２の磁界発生手段に流す電流を小さくすることを特徴とする請求項１０に記載のカバー開閉制御機構。
【請求項１２】
前記制御手段は、前記信号を検知しない場合、又は前記外部接続端子から前記プラグが抜かれたことを検知した場合に、前記第２の磁界発生手段に流す電流を、前記カバーが前記外部接続端子を覆って閉じた状態に保てるだけの量に減らすことを特徴とする請求項１１に記載のカバー開閉制御機構。
【請求項１３】
前記カバーがスライド機構を備え、
前記制御手段は、前記信号の検知の有無に基づいて、前記スライド機構を制御することを特徴とする請求項１から請求項３のいずれか１項に記載のカバー開閉制御機構。
【請求項１４】
前記制御手段は、検知された前記信号に基づいて前記スライド機構を制御することによって、前記カバーを開いた状態に移動させることを特徴とする請求項１３に記載のカバー開閉制御機構。
【請求項１５】
前記制御手段は、前記信号を検知しない場合、又は前記外部接続端子から前記プラグが抜かれたことを検知した場合、前記スライド機構を制御することによって、前記カバーについて前記外部接続端子を覆って閉じた状態に移動させることを特徴とする請求項１３又は請求項１４に記載のカバー開閉制御機構。
【請求項１６】
前記カバーが回転機構を備え、
前記制御手段は、前記信号の検知の有無に基づいて、前記回転機構を制御することを特徴とする請求項１から請求項３のいずれか１項に記載のカバー開閉制御機構。
【請求項１７】
前記制御手段は、検知された前記信号に基づいて前記回転機構を制御することによって、前記カバーを開いた状態に移動させることを特徴とする請求項１６に記載のカバー開閉制御機構。
【請求項１８】
前記制御手段は、前記信号を検知しない場合、又は前記外部接続端子から前記プラグが抜かれたことに基づいて前記回転機構を制御することによって、前記カバーを閉じた状態に移動させることを特徴とする請求項１７又は請求項１８に記載のカバー開閉制御機構。
【請求項１９】
プラグ接続用の外部接続端子を覆う開閉可能なカバーを備えた携帯端末であって、
前記カバーの開閉を行う開閉ユニットと、
前記プラグに設けられた発信手段から発信された所定の信号を検知する検知手段と、
前記検知手段による前記信号の検知の有無に基づいて、前記開閉ユニットによる前記カバーの開閉を制御する制御手段とを搭載することを特徴とする携帯端末。
【請求項２０】
前記検知手段は、当該検知手段が受信する信号の受信可能範囲内に位置する前記送信手段からの信号を検知し、
前記受信可能範囲は、前記プラグが前記外部接続端子との接続関係において正規の姿勢で前記外部接続端子近傍に位置した場合に前記検知手段が前記送信手段から信号を受信できる範囲であることを特徴とする請求項１９に記載の携帯端末。
【請求項２１】
前記検知手段が検知する前記発信手段からの信号は、前記プラグの種別を識別する識別情報を含み、
前記制御手段は、検知された前記識別情報に基づいて、前記プラグが前記外部接続端子に適合するか否かを判別し、当該判別結果に基づいて前記カバーの開閉を制御することを特徴とする請求項１９又は請求項２０に記載の携帯端末。
【請求項２２】
前記開閉ユニットは、磁力によって前記カバーに開く力を作用させる第１の磁界発生手段と、磁力によって前記カバーに閉じる力を作用させる第２の磁界発生手段を搭載し、
前記制御手段は、前記信号の検知の有無に基づいて、前記第１及び第２の磁界発生手段に流す電流を制御し、
前記カバーが、前記磁界発生手段が発する磁力によって開閉のための力を受ける金属部を備えることを特徴とする請求項１８から請求項２１のいずれか１項に記載の携帯端末。
【請求項２３】
前記制御手段は、検知された前記プラグの種別を識別する識別情報に基づいて、前記プラグが前記外部接続端子にとって使用可能か否かを判断し、当該判断結果に基づいて、前記第１及び第２の磁界発生手段に流す電流を制御することを特徴とする請求項２２に記載の携帯端末。
【請求項２４】
前記制御手段は、前記信号を検知した場合に、前記第１の磁界発生手段に流す電流を制御し、前記カバーを開くための磁力を発生させることを特徴とする請求項２２又は請求項２３に記載の携帯端末。
【請求項２５】
前記制御手段は、前記プラグが前記外部接続端子に接続されたことを検知した際に、前記第１の磁界発生手段に流す電流を小さくすることを特徴とする請求項２４に記載の携帯端末。
【請求項２６】
前記制御手段は、前記プラグが前記外部接続端子に接続されたことを検知した際に、前記第１の磁界発生手段に流す電流を、前記カバーが前記外部接続端子前から移動して開いた状態に保てるだけの量に減らすことを特徴とする請求項２５に記載の携帯端末。
【請求項２７】
前記カバーが開いた状態を検知する認識手段を備え、
前記制御手段は、前記認識手段が前記カバーが開いた状態を検知した際に、前記第１の磁界発生手段に流す電流を小さくすることを特徴とする請求項２５又は請求項２６に記載の携帯端末。
【請求項２８】
前記制御手段は、前記信号を検知しない場合、又は前記外部接続端子から前記プラグが抜かれたことを検知した場合に、前記第２の磁界発生手段に流す電流を制御し、前記カバーに閉じるための磁力を発生させることを特徴とする請求項２２から請求項２７のいずれか１項に記載の携帯端末。
【請求項２９】
前記カバーが閉じた状態を検知するセンサを備え、
前記制御手段は、前記センサが前記カバーが閉じた状態を検知した際に、前記第２の磁界発生手段に流す電流を小さくすることを特徴とする請求項２８に記載の携帯端末。
【請求項３０】
前記制御手段は、前記信号を検知しない場合、又は前記外部接続端子から前記プラグが抜かれたことを検知した場合に、前記第２の磁界発生手段に流す電流を、前記カバーが前記外部接続端子を覆って閉じた状態に保てるだけの量に減らすことを特徴とする請求項２９に記載の携帯端末。
【請求項３１】
前記カバーがスライド機構を備え、
前記制御手段は、前記信号の検知の有無に基づいて、前記スライド機構を制御することを特徴とする請求項１９から請求項２１のいずれか１項に記載の携帯端末。
【請求項３２】
前記制御手段は、検知された前記信号に基づいて前記スライド機構を制御することによって、前記カバーを開いた状態に移動させることを特徴とする請求項３１に記載の携帯端末。
【請求項３３】
前記制御手段は、前記信号を検知しない場合、又は前記外部接続端子から前記プラグが抜かれたことを検知した場合、前記スライド機構を制御することによって、前記カバーについて前記外部接続端子を覆って閉じた状態に移動させることを特徴とする請求項３１又は請求項３２に記載の携帯端末。
【請求項３４】
前記カバーが回転機構を備え、
前記制御手段は、前記信号の検知の有無に基づいて、前記回転機構を制御することを特徴とする請求項１９から請求項２１のいずれか１項に記載の携帯端末。
【請求項３５】
前記制御手段は、検知された前記信号に基づいて前記回転機構を制御することによって、前記カバーを開いた状態に移動させることを特徴とする請求項３４に記載の携帯端末。
【請求項３６】
前記制御手段は、前記信号を検知しない場合、又は前記外部接続端子から前記プラグが抜かれたことに基づいて前記回転機構を制御することによって、前記カバーを閉じた状態に移動させることを特徴とする請求項３４又は請求項３５に記載の携帯端末。
【発明の詳細な説明】
【技術分野】
【０００１】
本発明は、携帯端末の外部から挿入されるプラグを接続する外部接続端子を覆うように設置されたカバーのカバー開閉制御機構及びカバー開閉制御機構を備えた携帯端末に関するものである。
【背景技術】
【０００２】
パソコンなどに保存されているゲームや写真などの電子ファイルを携帯端末に送信する機会や、携帯端末での音楽視聴の機会が増えてきているため、携帯端末において、イヤホンマイクやＵＳＢケーブルなどを使用した外部接続を頻繁に利用する機会が格段に増え続けている。このため、ゴミやホコリなどの付着または先が尖った物で外部接続用の端子を突き刺すなど外部接続用の端子の破損に繋がる事故も格段に増えてきている。従って、このような事故を防ぐため、従来、携帯端末の外部接続用の端子の開口部に、外部接続用の端子を保護するカバーが設けられている。
【０００３】
従来の外部接続用の端子を保護するカバーの例が特許文献１（特開２００６−０８６０２７号公報（図１））に開示されている。特許文献１に開示された従来の外部接続用の端子を保護するカバーの例は、複数の外部接続用コネクタ１１と、その複数の外部接続用コネクタ１１を保護する保護カバー１２とを有する携帯端末装置１０において、開口部分１６の両側にカバー収容部１３、１４を設け、保護カバー１２が、Ｘ方向に沿って、開口部分１６の両側にスライド移動可能であり、２つの外部接続用コネクタ１１のうちの何れか一方、又は、双方を、露出可能であることによって、複数の外部接続用コネクタのうちの一部を使用する際に、他の外部接続用コネクタを保護可能とするものである。
【特許文献１】特開２００６−０８６０２７号公報（図１）
【発明の開示】
【発明が解決しようとする課題】
【０００４】
しかし、従来の携帯端末は、外部接続用の端子の開口部に設けられたカバーを携帯端末のユーザが手動で動かす構造になっていたため、外部接続を利用する機会が格段に増えている状況において、カバーを手動で動かすユーザの負担も増大してきた。
【０００５】
（目的）
本発明の目的は、プラグを接続する際に外部接続用の端子を保護しているカバーを自動開閉するカバー開閉制御機構及びカバー開閉制御機構を備えた携帯端末を提供することである。
【課題を解決するための手段】
【０００６】
上記目的を達成する本発明は、プラグ接続用の外部接続端子を覆う開閉可能なカバーを備えた携帯端末に設けられ、前記カバーの開閉を制御するカバー開閉制御機構であって、前記カバーの開閉を行う開閉ユニットと、前記プラグに設けられた発信手段から発信された所定の信号を検知する検知手段と、前記検知手段による前記信号の検知の有無に基づいて、前記開閉ユニットによる前記カバーの開閉を制御する制御手段とを搭載することを特徴とする。
【０００７】
（作用）
このため、本発明は、プラグから発信された信号の検知の有無によって、外部接続端子を覆うカバーが開閉ユニットによって制御される。
【発明の効果】
【０００８】
本発明によれば、プラグを接続する際又はプラグを抜く際に、外部接続用の端子を保護しているカバーを容易に自動開閉できる。
【０００９】
その理由は、プラグから発信された信号の検知の有無によって、外部接続端子を覆うカバーが開閉ユニットによって制御されるからである。
【発明を実施するための最良の形態】
【００１０】
（第１の実施の形態）
第１の実施の形態は、携帯電話端末１００のイヤホンマイク端子や入出力端子などの外部接続端子６の外部への開口空間である外部接続端子開口部１０１を自動で開閉する装置を搭載することによって、プラグ１を抜き差しする際に外部接続端子開口部１０１用のカバー７を自動で開閉させる形態である。
（第１の実施の形態の構成）
図１は、携帯電話端末１００内の外部接続端子部６及び外部接続端子部６の周辺部の構成を示す図である。
【００１１】
図１に示すように、本実施の形態による携帯電話端末１００は、受信機３と、コントローラ４と、開閉ユニット５と、外部接続端子６と、カバー７と、携帯端末筐体８と、外部接続端子６にプラグ１が挿入されていることをコントローラ４に通知する信号線３００等を内部に搭載し、カバー７を開閉することによって、プラグ１を外部接続端子６に接続可能な構成を有する。
【００１２】
プラグ１は、例えば、イヤホンマイク、ＡＣアダプターやＵＳＢケーブル等であり、プラグ１内部には、例えば、イヤホンマイク、ＡＣアダプターやＵＳＢケーブル等であるといった、プラグ１を識別する情報を格納するプラグ情報格納部２１と、携帯電話端末１００内部の受信機３と対向する位置にプラグ１の情報を赤外線通信やＢｌｕｅｔｏｏｔｈなどの無線手段によって送信するための送信機２とが搭載されている。なお、送信機２が送信する信号は、プラグ１の種別を識別する識別情報を含んでいてもよい。
【００１３】
受信機３は、プラグ１が受信機３の受信可能範囲内の距離にある場合に、プラグ１内部に搭載された送信機２から信号を受信する機能と、プラグ１の情報を送信機２から受信すると、受信した情報をコントローラ４へ送信する機能とを有する。
【００１４】
また、受信機３は、送信機２が送信した信号に含まれる識別情報を検知してコントローラ４へ送信する機能を有していてもよい。
【００１５】
図２及び図３は、本実施の形態による受信部の受信可能範囲を示す受信半径Ｒを説明する図である。
【００１６】
ここで、受信可能範囲を示す受信半径Ｒは、プラグ１が外部接続端子６との関係において正規の姿勢で外部接続端子６近傍又は外部接続端子開口部１０１近傍又はカバー７近傍に位置した場合に受信機３が送信機２から信号を受信できる距離とする。すなわち、図２に示すように、送信機２がプラグ１の右上端部に存在する正規の姿勢でプラグ１が外部接続端子６近傍又は外部接続端子開口部１０１近傍又はカバー７近傍に位置した場合には受信機３と送信機２との距離が受信半径Ｒ以内のため受信機３は送信機２から信号を受信できるが、図３に示すように、送信機２がプラグ１の左上端部に存在する非正規の姿勢でプラグ１が外部接続端子６近傍又は外部接続端子開口部１０１近傍又はカバー７近傍に位置した場合には受信機３と送信機２との距離が受信半径Ｒより大きいため受信機３は送信機２から信号を受信できない。
【００１７】
コントローラ４は、送信機２からの信号を検知した通知を受信機３から受けた場合に開閉ユニット５をコントロールしてカバー７を開閉する機能を有する。
【００１８】
また、コントローラ４は、受信機３から通知されたプラグ１を識別する識別情報に基づいて、プラグ１が外部接続端子６にとって使用可能かどうかを判別する機能を有していてもよい。この場合、コントローラ４は、当該判別結果に基づいてカバー７の開閉を制御する。
【００１９】
また、コントローラ４は、プラグ１が受信機３の受信可能範囲外の距離に離れると受信機３が送信機２からの信号を受信できなくなるため、その受信機３からの信号の有無に基づいて開閉ユニット５をコントロールしてカバー７を開閉する機能を有する。すなわち、コントローラ４は、受信機３からの信号の有無に基づいて、プラグ１が受信機３の受信可能範囲内にあるか否かを判断し、例えば、受信機３からの信号が無い場合には、プラグ１が受信機３の受信可能範囲外にあると判断し、カバー７をその位置のままにしたりスライドさせたりして外部接続端子開口部１０１を閉まっている状態（閉状態）にし、例えば、受信機３からの信号が有る場合には、プラグ１が受信機３の受信可能範囲内にあると判断し、カバー７をその位置のままにしたりスライドさせたりして外部接続端子開口部１０１を開いた状態（開状態）にする。
【００２０】
さらに、コントローラ４は、外部接続端子６にプラグ１が挿入されたことや、外部接続端子６からプラグ１を抜かれたことを、信号線３００による外部接続端子６からの信号の有無によって回路的に認識する機能と、当該信号の有無によってカバー７の開閉を制御する機能とを有する。
【００２１】
開閉ユニット５は、磁界発生機１０と、磁界発生機１１と、金属部１２と、センサ１３とを備える。
【００２２】
磁界発生機１０及び磁界発生機１１は、電流を流されると磁界を発生させる機能を有してコイル状に形成されている。また、磁界発生機１０と磁界発生機１１とは、対向してそれぞれ外部接続端子開口部１０１端部付近に設けられている。本実施の形態では、磁界発生機１０は、開状態における金属部１２（後述）の存在位置付近に設けられており、磁界発生機１１は、閉状態における金属部１２の存在位置付近に設けられている。
【００２３】
金属部１２は、磁界の影響を受ける金属によって構成されてカバー７の磁界発生機１１側端部に固定され、磁界発生機１０や磁界発生機１１によって磁界が発生することにより、磁界発生機１０や磁界発生機１１から磁力を受ける。
【００２４】
センサ１３は、金属部品を検知する一般的な技術によって金属部１２を認識することにより、又は一般的な赤外線センサの技術等によってカバー７の閉状態を検知する機能と、検知したカバー７の閉状態をコントローラ４に通知する機能とを有し、閉状態における金属部１２の存在位置付近に設けられている。
【００２５】
また、これに加え、センサ１３と同様のセンサが閉状態における金属部１２の存在位置付近に設けられ（付図示）、金属部品を検知する一般的な技術によって金属部１２を認識することにより、又は一般的な赤外線センサの技術等によってカバー７の開状態を検知する機能と、検知したカバー７の開状態をコントローラ４に通知する機能とを有していてもよい。
【００２６】
また、センサ１３は、金属部品を検知する一般的な技術によって金属部１２を認識することにより、又は一般的な赤外線センサの技術等によってカバー７の開状態を検知してコントローラ４に通知する機能を備えていてもよい。
【００２７】
コントローラ４は、カバー７が閉まっている状態（閉状態）であることをセンサ１３から通知された場合に、磁界発生機１１に対して微力の電流を流すことができる機能を有する。すなわち、コントローラ４は、カバー７が閉まっている状態において、センサ１３からの通知により磁界発生機１１とカバー７の金属部１２間に働く磁力を制御することができる。その際、磁界発生機１０には電流が流れていないため、まだ磁界は発生していない。
【００２８】
また、コントローラ４は、信号線３００からの信号を受信して外部接続端子６にプラグ１が挿入されたことを検知した場合、又はカバー７が開いている状態（開状態）であることをセンサ１３から通知された場合に、磁界発生機１０に対して微力の電流を流すことができる機能を有する。すなわち、コントローラ４は、カバー７が開いている状態において、磁界発生機１０とカバー７の金属部１２間に働く磁力を制御することができる。その際、磁界発生機１１周囲には磁界は発生していない。
【００２９】
また、コントローラ４は、受信機３からの信号が無い場合、又は信号線３００からの信号が途絶えた場合、外部接続端子６からプラグ１が抜かれたことを検知して磁界発生機１０とカバー７の金属部１２間にカバー７を閉じるための磁力を発生させる。
【００３０】
カバー７は、ゴミやホコリなどの付着または先が尖った物で外部接続端子６を突き刺すなど外部接続端子６の破損に繋がる事故を防ぐために携帯電話端末１００の外部接続端子開口部１０１にスライド可能に設けられ、磁界発生機１０や磁界発生機１１から磁力を受けた金属部１２が磁界発生機１０と磁界発生機１１との間を移動するのに伴ってスライドする。すなわち、カバー７の開閉（スライド）は、コントローラ４が磁界発生機１０及び磁界発生機１１への電流供給をコントロールすることによってコントロールされる。
【００３１】
外部接続端子６は、例えば、イヤホンマイク端子、電源端子やＵＳＢ端子等であり、イヤホンマイク、ＡＣアダプターやＵＳＢケーブル等のプラグ１を接続可能な構成を有する。
【００３２】
なお、プリント基板９は、外部接続端子６と、外部接続端子６付近に配置された受信機３と、コントローラ４と、磁界発生機１０及び磁界発生機１１等を搭載している。
【００３３】
（第１の実施の形態の動作）
以下、図を参照して本実施の形態の動作について説明する。
【００３４】
図４及び図５は、本実施の形態の外部接続端子６にプラグ１が近接した際の動作を説明する図であり、図６は、本実施の形態の外部接続端子６にプラグ１が近接した際の動作を示すフローチャートである。
【００３５】
図４及び図６において、携帯電話端末１００のユーザが携帯電話端末１００で音楽を聴くためにイヤホンマイクを使用する場合や、卓上ホルダーを使わずＡＣアダプターから直接充電する場合などの理由で、カバー７が閉まっている状態の外部接続端子開口部１０１（外部接続端子６）にプラグ１が近づけられる（ステップＳ４０１）。
【００３６】
プラグ１内部の送信機２が携帯電話端末１００内部に搭載されている受信機３の受信可能範囲内に入ると（ステップＳ４０２）、プラグ１の情報が送信機２から携帯電話端末１００内部の受信機３へ赤外線通信やＢｌｕｅｔｏｏｔｈなどの無線手段によって送信される（ステップＳ４０３）。
【００３７】
送信機２から受信機３に送信された当該情報は、受信機３からコントローラ４へ回路的に送信される（ステップＳ４０４）。
【００３８】
コントローラ４は、入手した情報に基づいて、プラグ１が外部接続端子６にとって使用可能かどうかを判断する（ステップＳ４０５）。
【００３９】
コントローラ４は、使用可能と判断すると、図５のように、磁界発生機１１へ流していた小さな電流を止め（ステップＳ４０６）、もう一つの磁界発生機１０へ大きな電流を流す（ステップＳ４０７）。
【００４０】
磁界発生機１０に大きな電流が流れることによって、金属部１２が磁界発生機１０との間の大きな磁力によって引き寄せられ、カバー７がスライドする（開く）（ステップＳ４０８）。
【００４１】
コントローラ４は、逆に、使用不可と判断した場合は、２つの磁界発生機１０、磁界発生機１１の現在の状態を維持するため、カバーは閉じた状態のままとなる（ステップＳ４０９）。
【００４２】
図７は、本実施の形態の外部接続端子６にプラグ１が挿入された際の動作を説明する図であり、図８は、本実施の形態の外部接続端子６にプラグ１が挿入された際の動作を示すフローチャートである。
【００４３】
図７及び図８を参照すると、コントローラ４は、プラグ１が挿入されたことを外部接続端子６から回路的に認識することによって（ステップＳ５０１）、カバー７のスライドに必要だった磁界発生器１０に対する大きな電流を、カバー７を開状態に保持するために最小限必要な小さい電流に減らす（ステップＳ５０２）。
【００４４】
図９は、本実施の形態の外部接続端子６からプラグ１を抜いた際の動作を説明する図であり、図１０及び図１１は、本実施の形態の外部接続端子６からプラグ１を抜いた際の動作を示すフローチャートである。
【００４５】
図９及び図１０を参照すると、コントローラ４は、外部接続端子６からプラグ１を抜かれたことを、信号線３００による外部接続端子６からの信号の有無によって回路的に認識し（ステップＳ６０１）、カバー７を開く時とは逆に磁界発生機１０への電流を止めて磁界発生機１１へ大きな電流を流すことによって、カバー７を閉状態へとスライドさせる（ステップＳ６０２）。
【００４６】
または、図９及び図１１を参照すると、コントローラ４は、外部接続端子６からプラグ１が抜かれてプラグ１内部の送信機２が携帯電話端末１００内部の受信機３の受信可能範囲外になり、受信機３からの信号が途絶えると（ステップＳ６１１）、カバー７を開く時とは逆に磁界発生機１０への電流を止めて磁界発生機１１へ大きな電流を流すことによって、カバー７を閉状態へとスライドさせる（ステップＳ６１２）。この場合には、プラグ１が外部接続端子６から抜かれても依然外部接続端子開口部１０１にある場合に、プラグ１内部の送信機２が携帯電話端末１００内部の受信機３の受信可能範囲内であることからカバー７が閉状態へとスライドしないため、カバー７の誤動作を防止できる。
【００４７】
図１２は、本実施の形態のカバー７が閉じた際の動作を説明する図であり、図１３は、本実施の形態のカバー７が閉じた際の動作を示すフローチャートである。
【００４８】
図１２及び図１３において、コントローラ４は、センサ１３がカバー７を検知することによって（ステップＳ７０１）カバー７が閉じたことを認識し（ステップＳ７０２）、磁界発生機１１への電流量をカバー７を閉状態に保てるだけの量に減らす（ステップＳ７０３）。
【００４９】
よって、カバー７はイヤホンマイクなどのプラグ１が携帯電話端末１００の外部接続端子６に挿抜される際に自動で開閉されるので、携帯電話端末１００のユーザは、外部接続端子６に挿入できるプラグ１か否かを確認して必要に応じて手動でカバー７を開閉させる面倒がなく頻繁に外部接続を利用することができる。また万が一、携帯電話端末１００内の電力がゼロの場合でも、従来通り手動にてカバー７を開閉することは可能である。
【００５０】
（第１の実施の形態の効果）
本実施の形態によれば、以下に示す効果を達成できる。
【００５１】
第１に、プラグ１を接続する際に外部接続端子６を保護しているカバー７を自動開閉できる。従って、携帯電話端末１００で音楽を聞いたり、パソコンから携帯電話端末１００にデータをダウンロードできたりと多機能化し、携帯電話端末１００にイヤホンマイクやＡＣアダプターなどのプラグを挿すという行為が増化し続けている状況において、その行為をワンアクションにシンプル化できるため、携帯電話端末１００のユーザの当該行為の負担を軽減することが可能である。例えば、携帯電話端末１００のユーザは、片手でも簡単にプラグ１の抜き差しを行うことができるため、同時にイヤホンマイクやＡＣアダプターなど２つ以上のプラグ１を使用する際も、手間を掛けずにプラグ１の取り付け及び使用が可能となる。
【００５２】
その理由は、電流を流されると磁界を発生させる機能を有してコイル状に形成され、対向してそれぞれ外部接続端子開口部１０１端部付近に設けられている磁界発生機１０及び磁界発生機１１と、磁界の影響を受ける金属によって構成されてカバー７の磁界発生機１１側端部に固定され、磁界発生機１０や磁界発生機１１によって磁界が発生することにより、磁界発生機１０や磁界発生機１１から磁力を受ける金属部１２とを備え、受信機３が、プラグ１の送信機２が受信機３の受信可能範囲内にある場合に、送信機２から信号を受信してコントローラ４へ送信し、コントローラ４が、受信機３からの信号の有無に基づいて磁界発生機１０及び磁界発生機１１を含む開閉ユニット５をコントロールしてカバー７を開閉するからである。
【００５３】
第２に、プラグ１を接続する際に、プラグ１と外部接続端子６の関係に基づいて、プラグ１が外部接続端子６に使用可能な場合に、外部接続端子６を保護しているカバー７を自動で開状態にできる。従って、様々な用途の外部接続端子６が存在する状況において、携帯電話端末１００のユーザが、接続するプラグ１が外部接続端子６に使用可能か否かを外部接続端子６毎に判別する負担が減少する。
【００５４】
その理由は、受信機３が送信機２から受信するプラグ１の情報は、例えば、イヤホンマイク、ＡＣアダプターやＵＳＢケーブル等であるといった、プラグ１を識別する情報を含み、コントローラ４は、受信機３から入手した情報（プラグ１を識別する情報）に基づいて、プラグ１が外部接続端子６にとって使用可能かどうかを判断するからである。
【００５５】
第３に、携帯電話端末１００のユーザが、プラグ１の向きを上下逆さにするなど、プラグ１を非正規の姿勢で外部接続端子６に接続しようとしてもカバー７は自動で開かないため、誤挿入による外部接続端子６及び携帯電話端末１００の破損を防ぐことができる。
【００５６】
その理由は、送信機２がプラグ１の右上端部に存在する正規の姿勢でプラグ１が外部接続端子６近傍又は外部接続端子開口部１０１近傍又はカバー７近傍に位置した場合には受信機３と送信機２との距離が受信半径Ｒ以内のため受信機３は送信機２から信号を受信できるが、送信機２がプラグ１の左上端部に存在するプラグ１が外部接続端子６近傍又は外部接続端子開口部１０１近傍又はカバー７近傍に位置した場合には受信機３と送信機２との距離が受信半径Ｒより大きいため受信機３は送信機２から信号を受信できないため、コントローラ４が、受信機３からの信号の無い場合はカバー７を開状態にしないからである。
【００５７】
第４に、携帯電話端末１００で最も重要視される項目である消費電力を抑えることができる。
【００５８】
その理由は、コントローラ４が、プラグ１が挿入されたことを信号線３００による外部接続端子６からの信号の有無によって回路的に認識した場合、又は、センサ（付図示）がカバー７が開いた状態を検知した際に、カバー７のスライドに必要だった大きな電流を、カバー７を開状態に保持するために最小限必要な小さい電流に減らすからである。また、コントローラ４が、受信機３から信号を通知されない場合、又は外部接続端子６からプラグが抜かれたことを検知した場合、又はセンサ１３がカバー７が閉じた状態を検知を検知した場合、カバー７が閉じたことを認識し、磁界発生機１１への電流量をカバー７を閉状態に保てるだけの量に減らすからである。
【００５９】
（第２の実施の形態）
本発明の第２の実施の形態を説明する。本実施の形態の基本的構成は、上記第１の実施の形態の通りであるが、第１の実施の形態におけるカバー７の開閉ユニット５についてさらに工夫しているので、その構成を図１４及び図１５に示す。
【００６０】
ここで、図１４は、本実施の形態による携帯電話端末１００内の外部接続端子部６及び外部接続端子部６の周辺部の構成を示す図であり、図１５は、本実施の形態による携帯電話端末１００内の開閉ユニット５の構成を示す図である。
【００６１】
図１４及び図１５を参照すると、本実施の形態は、第１の実施の形態による開閉ユニット５における２つの磁界発生機１０及び磁界発生機１１の代わりに、１つのモーター１４と、サークル状のワイヤ１７で繋がれた２つのプーリ１５、プーリ１６とを配置している。このモーター１４による力がプーリ１５に対して回転力となって伝達することによって、プーリ１５、プーリ１６はそれぞれ自身のプーリ回転軸１５１、プーリ回転軸１６１を中心に回転し、プーリ１５、プーリ１６が回転することによって、ワイヤ１７が回転する。また、金属部１２がワイヤ１７に固定されている。
【００６２】
本実施の形態は、受信機３または外部接続端子６から信号を受信したコントローラ４が、モーター１４に電流を流すことによってプーリ１５とプーリ１６が回転し、プーリ１５とプーリ１６の回転力がワイヤ１７に伝達してワイヤ１７が回転することによって金属部１２がスライドし、金属部１２がスライドすることによって、金属部１２が固定されたカバー７がスライド（開閉）する。
【００６３】
なお、図１５に示すように、カバー７の位置によって、外部接続端子６の状態が、閉状態、開閉中、開状態と変化し、センサ１３が、閉状態において金属部１２を認識し、コントローラ４が、カバー７が閉状態であることをセンサ１３から通知された場合に、モーター１４に対して流していた電流を停止する。
【００６４】
（第３の実施の形態）
本発明の第３の実施の形態を説明する。本実施の形態の基本的構成は、上記第２の実施の形態の通りであるが、第２の実施の形態におけるカバー７の開閉ユニット５についてさらに部材を省略しているので、その構成を図１６及び図１７に示す。
【００６５】
ここで、図１６は、本実施の形態による携帯電話端末１００内の外部接続端子部６及び外部接続端子部６の周辺部の構成を示す図であり、図１７は、本実施の形態による携帯電話端末１００内の開閉ユニット５の構成を示す図である。
【００６６】
図１６及び図１７を参照すると、本実施の形態は、第２の実施の形態による開閉ユニット５における２つのプーリ１５及びプーリ１６の代わりに、二つ一組の回転軸１８の一方をモーター１４に接続させ、ワイヤ１７の両端の一端を回転軸１８の一方に巻きつけ、他端を回転軸１８の他方に巻きつけている。このモーター１４による力が回転軸１８に対して回転力となって伝達することによって回転軸１８は回転し、回転軸１８が回転することによってワイヤ１７がスライドし、ワイヤ１７がスライドすることによって金属部１２がスライドし、金属部１２がスライドすることによって、金属部１２が固定されたカバー７がスライド（開閉）する。
【００６７】
なお、本実施の形態は、第２の実施の形態と同様に、図１７に示すように、カバー７の位置によって、外部接続端子６の状態が閉状態、開閉中、開状態と変化し、センサ１３が閉状態において金属部１２を認識し、コントローラ４が、カバー７が閉状態であることをセンサ１３から通知された場合に、モーター１４に対して流していた電流を停止する。
【００６８】
（第４の実施の形態）
本発明の第４の実施の形態を説明する。本実施の形態の基本的構成は、上記第１の実施の形態の通りであるが、第１の実施の形態におけるカバー７の開閉ユニット５についてさらに工夫しているので、その構成及び開閉状態を図１８及び図１９に示す。
【００６９】
ここで、図１８は、本実施の形態による携帯電話端末１００内の外部接続端子部６及び外部接続端子部６の周辺部の構成を示す図であり、図１９は、本実施の形態による携帯電話端末１００内のカバー７の開閉状態を示す図である。
【００７０】
図１８を参照すると、本実施の形態は、開閉ユニット５として、カバー７のカバー回転軸７１に連結してカバー７に回転力を伝達する１つのモーター１９を備える。
【００７１】
本実施の形態は、受信機３または外部接続端子６から信号を受信したコントローラ４がモーター１９に電流を流して駆動させる。カバー７は、上記第２の実施の形態のように左右方向へのスライドではなく、モーター１９に連結したカバー回転軸７１を中心に回転することによって、外部接続端子６の状態が、閉状態、開閉中、開状態と変化する。
【００７２】
以上好ましい実施の形態をあげて本発明を説明したが、本発明は必ずしも、上記実施の形態に限定されるものでなく、その技術的思想の範囲内において様々に変形して実施することができる。
【００７３】
例えば、第１の実施の形態におけるカバー７は、磁界発生機１０や磁界発生機１１から磁力を受けた金属部１２が磁界発生機１０と磁界発生機１１との間を移動するのに伴ってスライドするが、この磁力として引力ではなく斥力を用いることによって、コントローラ４がカバー７のスライドをコントロールしてもよい。
【００７４】
例えば、第１の実施の形態と同様のセンサ１３が、カバー７の開状態を検知する機能と、検知したカバー７の開状態をコントローラ４に通知する機能とを有し、開状態における金属部１２の存在位置付近にも設けられていてもよい。
【図面の簡単な説明】
【００７５】
【図１】携帯電話端末１００内の外部接続端子部６及び外部接続端子部６の周辺部の構成を示す図である。
【図２】本実施の形態による受信部の受信可能範囲を示す受信半径Ｒを説明する図である。
【図３】本実施の形態による受信部の受信可能範囲を示す受信半径Ｒを説明する図である。
【図４】本実施の形態の外部接続端子６にプラグ１が近接した際の動作を説明する図である。
【図５】本実施の形態の外部接続端子６にプラグ１が近接した際の動作を説明する図である。
【図６】本実施の形態の外部接続端子６にプラグ１が近接した際の動作を示すフローチャートである。
【図７】本実施の形態の外部接続端子６にプラグ１が挿入された際の動作を説明する図である。
【図８】本実施の形態の外部接続端子６にプラグ１が挿入された際の動作を示すフローチャートである。
【図９】本実施の形態の外部接続端子６からプラグ１を抜いた際の動作を説明する図である。
【図１０】本実施の形態の外部接続端子６からプラグ１を抜いた際の動作を示すフローチャートである。
【図１１】本実施の形態の外部接続端子６からプラグ１を抜いた際の動作を示すフローチャートである。
【図１２】本実施の形態のカバー７が閉じた際の動作を説明する図である。
【図１３】本実施の形態のカバー７が閉じた際の動作を示すフローチャートである。
【図１４】第２の実施の形態による携帯電話端末１００内の外部接続端子部６及び外部接続端子部６の周辺部の構成を示す図である。
【図１５】第２の実施の形態による携帯電話端末１００内の開閉ユニット５の構成を示す図である。
【図１６】第３の実施の形態による携帯電話端末１００内の外部接続端子部６及び外部接続端子部６の周辺部の構成を示す図である。
【図１７】第３の実施の形態による携帯電話端末１００内の開閉ユニット５の構成を示す図である。
【図１８】第４の実施の形態による携帯電話端末１００内の外部接続端子部６及び外部接続端子部６の周辺部の構成を示す図である。
【図１９】第４の実施の形態による携帯電話端末１００内のカバー７の開閉状態を示す図である。
【符号の説明】
【００７６】
１：プラグ
２：送信機
２１：プラグ情報格納部
３：受信機
４：コントローラ
５：開閉ユニット
６：外部接続端子
７：カバー
７１：カバー回転軸
８：携帯電話端末筐体
９：プリント基板
１０、１１：磁界発生機
１２：金属部
１３：センサ
１４、１９：モーター
１５、１６プーリ
１５１、１６１：プーリ回転軸
１７：ワイヤ
１８：回転軸
３００：信号線
【図１】
2008071246.tif 000003
【図２】
2008071246.tif 000004
【図３】
2008071246.tif 000005
【図４】
2008071246.tif 000006
【図５】
2008071246.tif 000007
【図６】
2008071246.tif 000008
【図７】
2008071246.tif 000009
【図８】
2008071246.tif 000010
【図９】
2008071246.tif 000011
【図１０】
2008071246.tif 000012
【図１１】
2008071246.tif 000013
【図１２】
2008071246.tif 000014
【図１３】
2008071246.tif 000015
【図１４】
2008071246.tif 000016
【図１５】
2008071246.tif 000017
【図１６】
2008071246.tif 000018
【図１７】
2008071246.tif 000019
【図１８】
2008071246.tif 000020
【図１９】
2008071246.tif 000021